(57)【特許請求の範囲】
【請求項１】
収納空間を開閉する扉部材と、
この扉部材、左右側板部、後側板部、及び底板部から構成されて前記扉部材の背面側に一体的に形成されており、上方に向けて開口した収納容器と、
この収納容器の左右両側に位置して前記収納容器を軸支する左右支持部、及びこの左右支持部の後端部に連続した後支持部を有しており、前記扉部材が収納空間を開閉するように前記収納容器を水平な回動軸を中心に回動自在に軸支した支持部材と、
前記扉部材が前記収納空間を開放する方向に回動した際、前記後側板部と前記後支持部との間に挟まれて、前記扉部材及び前記収納容器の回動速度を減速する緩衝部材と、
を備えていることを特徴とするキャビネット。
【請求項２】
前記後側板部は、前記扉部材が前記収納空間を閉鎖した状態で、前記後支持部より下方において後方に突出する第１凸部を有しており、
前記緩衝部材は、前記後支持部の下端部に取り付けられており、前記扉部材が前記収納空間を開放する方向に回動した際、前記第１凸部が下方から当接することを特徴とする請求項１記載のキャビネット。
【請求項３】
前記後側板部は、前記扉部材が前記収納空間を閉鎖した状態で、前記後支持部より下方において後方に突出し、前記扉部材が前記収納空間を開放する方向に回動した際、前記後支持部の下端面に下方から当接して、前記扉部材及び前記収納容器の回動を停止する第２凸部を有していることを特徴とする請求項１又は２記載のキャビネット。
【請求項４】
前記扉部材が前記収納空間を開放する方向に回動して前記第２凸部が前記後支持部の下端面に当接した状態で、前記第１凸部は前記後支持部の下端面との間に隙間を形成するように、前記第２凸部を前記第１凸部よりも上側に設けたことを特徴とする請求項２を引用する請求項３記載のキャビネット。
【発明の詳細な説明】
【技術分野】
【０００１】
本発明はキャビネットに関する。
【背景技術】
【０００２】
特許文献１は従来のキャビネットを開示している。このキャビネットは、複数に分割した収納空間を有するキャビネット本体と、収納空間を開閉する扉部材と、この扉部材の背面側に一体に形成し、上方に向けて開口した収納容器とを備えている。扉部材は下端部を水平な回動軸にして回動自在にキャビネット本体に軸支されている。また、このキャビネットは、扉部材が設定角度以上に開かないように、扉部材の上端部とキャビネット本体とを連結した連結金具を備えている。このキャビネットは扉部材の回動と共に扉部材の背面側に一体的に形成した収納容器も回動する。また、扉部材は設定角度以上に開かずに停止する。このため、このキャビネットは収納容器に対して収納物の出し入れを容易に行うことができる。
【０００３】
また、特許文献２は従来の別のキャビネットを開示している。このキャビネットは扉部材を構成する枠体とキャビネット本体とを油圧ダンパーによって連結している。また、このキャビネットは扉部材の背面が当接するキャビネット本体の前面に当接ダンパーを設けている。このため、このキャビネットは扉部材が収納空間を開閉する際の振動や騒音を少なくすることができる。
【先行技術文献】
【特許文献】
【０００４】
【特許文献１】特開平９−１０８１５１号公報
【特許文献２】特開２００５−１９２８３９号公報
【発明の概要】
【発明が解決しようとする課題】
【０００５】
しかし、特許文献１のキャビネットは、扉部材が収納空間を開放する方向に回動した際、扉部材が設定角度になると連結金具によって扉部材の回動が急激に停止する。このため、このキャビネットは、扉部材が停止する際に振動や音が生じる。また、扉部材が収納空間を開放した状態で連結金具が露出している。このため、このキャビネットは使用時の外見が損なわれる。
【０００６】
また、特許文献２のキャビネットも扉部材が収納空間を開放した状態で油圧ダンパー及び当接ダンパーが露出している。このため、このキャビネットも使用時の外見が損なわれる。
【０００７】
本発明は、上記従来の実情に鑑みてなされたものであって、良好に使用することができるキャビネットを提供することを解決すべき課題としている。
【課題を解決するための手段】
【０００８】
本発明のキャビネットは、収納空間を開閉する扉部材と、
この扉部材、左右側板部、後側板部、及び底板部から構成されて前記扉部材の背面側に一体的に形成されており、上方に向けて開口した収納容器と、
この収納容器の左右両側に位置して前記収納容器を軸支する左右支持部、及びこの左右支持部の後端部に連続した後支持部を有しており、前記扉部材が収納空間を開閉するように前記収納容器を水平な回動軸を中心に回動自在に軸支した支持部材と、
前記扉部材が前記収納空間を開放する方向に回動した際、前記後側板部と前記後支持部との間に挟まれて、前記扉部材及び前記収納容器の回動速度を減速する緩衝部材と、
を備えていることを特徴とする。
【０００９】
このキャビネットは扉部材が収納空間を開放する方向に回動すると、緩衝部材が後側板部と前記後支持部との間に挟まれて、扉部材及び収納容器の回動速度を減速する。このため、このキャビネットは、扉部材が収納空間を開放する際に扉部材等の回動が急激に停止することなく、スムーズに減速する。このため、このキャビネットは扉部材が収納空間を開放して停止する際に振動や騒音の発生を抑制することができる。また、このキャビネットは、緩衝部材が後側板部と後支持部との間に挟まれる位置に設けられているため、扉部材が収納空間を開放した際にも緩衝部材が露出せずに使用者に目視され難い部位に緩衝部材を配置することができ、キャビネットの使用時の外見を良好に保つことができる。
【００１０】
したがって、本発明のキャビネットは良好に使用することができる。
【００１３】
前記後側板部は、前記扉部材が前記収納空間を閉鎖した状態で、前記後支持部より下方において後方に突出する第１凸部を有しており、
前記緩衝部材は、前記後支持部の下端部に取り付けられており、前記扉部材が前記収納空間を開放する方向に回動した際、前記第１凸部が下方から当接し得る。
【００１４】
この場合、扉部材が収納空間を開放する方向に回動すると、後支持部の後方に突出する第１凸部が緩衝部材に下方から当接し、扉部材等の回動速度をスムーズに減速させることができる。このため、このキャビネットは扉部材が収納空間を開放して停止する際に振動や騒音の発生を抑制することができる。また、第１凸部が後側板部の後方に突出して形成されており、緩衝部材が後支持部の下端部に取り付けられているため、扉部材が収納空間を開放した際にも第１凸部及び緩衝部材は露出せずに使用者に目視され難い。このため、キャビネットの使用時の外見を良好に保つことができる。
【００１５】
前記後側板部は、前記扉部材が前記収納空間を閉鎖した状態で、前記後支持部より下方において後方に突出し、前記扉部材が前記収納空間を開放する方向に回動した際、前記後支持部の下端面に下方から当接して、前記扉部材及び前記収納容器の回動を停止する第２凸部を有し得る。
【００１６】
この場合、扉部材が収納空間を開放する方向に回動すると、第２凸部が後支持部の下端面に下方から当接することによって、その回動を停止する。このため、このキャビネットは、収納容器に収納物を出し入れし易い角度に扉部材を回動した状態で、収納空間を開放することができる。また、第２凸部は後側板部の後方に突出して設けられているため、扉部材が収納空間を開放した際にも第２凸部は露出せずに使用者に目視され難い。このため、キャビネットの使用時の外見を良好に保つことができる。
【００１７】
前記扉部材が前記収納空間を開放する方向に回動して前記第２凸部が前記後支持部の下端面に当接した状態で、前記第１凸部は前記後支持部の下端面との間に隙間を形成するように、前記第２凸部を前記第１凸部よりも上側に設け得る。
【００１８】
この場合、第２凸部が後支持部の下端面に当接した状態で、第１凸部と後支持部の下端面との間に隙間が形成される。この隙間を設けることによって、第１凸部が緩衝部材に過剰な力を加えることを防止することができる。このため、緩衝部材の劣化を抑制することができ、キャビネットを長い間、良好に使用することができる。
【図面の簡単な説明】
【００１９】
【図１】実施例のキャビネットが設置されたトイレルームを示す斜視図である。
【図２】実施例のキャビネットの分解斜視図である。
【図３】実施例のキャビネットの背面図である。
【図４】図３の矢視Ｘ−Ｘ断面図であって、（Ａ）は扉部材が収納空間を閉鎖した状態を示し、（Ｂ）は扉部材が収納空間を開放した状態を示す。
【図５】図３の矢視Ｙ−Ｙ断面図であって、（Ａ）は扉部材が収納空間を閉鎖した状態を示し、（Ｂ）は扉部材が収納空間を開放した状態を示す。
【発明を実施するための形態】
【００２０】
本発明のキャビネットを具体化した実施例について図面を参照しつつ説明する。
【００２１】
＜実施例＞
実施例のキャビネット１０は、図１に示すように、トイレルーム内の壁面Ｗに取り付けたカウンター１の下部に設置されている。また、このキャビネット１０は水洗式便器２の便座に着座した使用者の手が届く位置に設置されている。
【００２２】
このキャビネット１０は、図１及び図２に示すように、表面が横長矩形状の化粧板材からなる扉部材２０を備えている。扉部材２０は、カウンター１の前端面に沿って、カウンター１の下方に垂下した状態で収納空間を閉鎖する。また、扉部材２０は上端側が前方に突出するように水平な回動軸を中心に回動し、収納空間を開放する。
【００２３】
このキャビネット１０は、図２に示すように、扉部材２０、収納容器３０、支持部材４０、及び緩衝部材であるダンパー５０を備えている。収納容器３０は、扉部材２０、左右側板部３１、後側板部３２、及び底板部３３から構成されている。この収納容器３０は扉部材２０の背面側に一体的に形成されている。また、この収納容器３０は、上面視が横長矩形状であり、上方に向けて開口している。
【００２４】
扉部材２０は収納容器３０の前側壁を構成している。扉部材２０は、内側面であって、後述するプッシュ式マグネットキャッチ６０の磁着面である先端面６２Ａに対向する位置に平板状の磁性体からなる受板２１を取り付けている。左右側板部３１は、平板状の板材であり、扉部材２０の左右端部の背面の下部から後方に連続して延びている。つまり、左右側板部３１は収納容器３０の左右側壁を構成している。左右側板部３１は外側面の後端部であって、上下方向の中央部に回動軸部材３４の一端部を挿入する挿入孔３１Ａを形成している。
【００２５】
後側板部３２と底板部３３とは、金属製の平板を所定の形状に切断し、折り曲げて一体に形成している。後側板部３２は水平面に位置する底板部３３に対して垂直上方向に折り曲げて形成されている。後側板部３２は左右端の夫々に底板部３３の上方に向けて折り曲げた一対の取付片３５を有している。これら取付片３５が左右側板部３１の夫々の内側面に螺子止め固定されている。これによって、後側板部３２は、扉部材２０に対向し、左右側板部３１の後端縁に沿って位置している。後側板部３２は収納容器３０の後側壁を構成している。また、底板部３３は、扉部材２０、左右側板部３１、及び後側板部３２の下端縁に沿って位置している。底板部３３は収納容器３０の底壁を構成している。
【００２６】
後側板部３２は、図２及び図３に示すように、中央部の下部に横長矩形の左右辺部と下辺部に相当する位置を切り抜き、上辺部に相当する位置を後方へ折り曲げて形成した第１凸部３２Ａを有している。つまり、第１凸部３２Ａは下方に向けて後方に傾斜した傾斜片から構成されている。また、後側板部３２は、第１凸部３２Ａの両側に、第１凸部３２Ａと同様、横長矩形の左右辺部と下辺部に相当する位置を切り抜き、上辺部に相当する位置を後方に折り曲げて形成した２個の第２凸部３２Ｂを有している。つまり、第２凸部３２Ｂは、第１凸部３２Ａと同様、下方に向けて後方に傾斜した傾斜片から構成されている。第２凸部３２Ｂは第１凸部３２Ａに比べて横方向に長く形成されている。また、第２凸部３２Ｂは第１凸部３２Ａよりも上側に設けられている。第１凸部３２Ａ及び第２凸部３２Ｂは、扉部材２０が収納空間を閉鎖した状態で、後述する後支持部４２より下方に形成されている。
【００２７】
支持部材４０は左右支持部４１、及び後支持部４２を有している。左右支持部４１及び後支持部４２は、平板状の板材から構成されている。後支持部４２は左右両端部が左右支持部４１の後端部の内側面に連続して接続している。後支持部４２の左右方向の長さは左右両端部に連続した左右支持部４１が収納容器３０の左右両側に位置するように形成されている。
【００２８】
左右支持部４１は夫々の内側面の中央下部に回動軸部材３４の他端部を挿入する挿入孔４１Ａを形成している。これら挿入孔４１Ａに回動軸部材３４の他端部を挿入し、収納容器３０の左右側板部３１の夫々に形成した挿入孔３１Ａに回動軸部材３４の一端部を挿入する。これによって、左右支持部４１は収納容器３０を水平な回動軸を中心に回転自在に軸支している。
【００２９】
後支持部４２は前後方向に貫通した丸孔４２Ａと長孔４２Ｂとを左右に並べて設けている。この丸孔４２Ａと長孔４２Ｂを貫通する木螺子によってキャビネット１０はトイレルームの壁面Ｗに固定されている。後支持部４２は、図２〜図４に示すように、中央部の下端面からダンパー５０の本体部５１を垂直方向に埋め込んでいる。ダンパー５０の本体部５１から突出するピストン部５２が後支持部４２の中央部の下端面から垂直下方に突出している。ダンパー５０は本体部５１内に図示しないスプリングを収納している。このスプリングはピストン部５２が突出する方向（垂直下方）に弾性力を付与している。
【００３０】
左右支持部４１の一方の内側面の前端上部にプッシュ式マグネットキャッチ６０が取り付けられている。このプッシュ式マグネットキャッチ６０は、図４及び図５に示すように、本体部６１と、本体部６１の前端から突出し、前後方向に進退する軸部６２とを有している。この軸部６２は磁性を帯びており、先端面６２Ａが扉部材２０に設けた受板２１に磁着する。また、このプッシュ式マグネットキャッチ６０は、軸部６２を待機位置より奥側に押し込むと本体部６１内に収納した図示しないスプリングによって軸部６２が待機位置よりも前方に突出する（図４（Ｂ)、図５（Ｂ）参照）。扉部材２０は、プッシュ式マグネットキャッチ６０の軸部６２が待機位置に位置する状態で、軸部６２の先端面６２Ａが扉部材２０に設けた受板２１に磁着し、収納空間を閉鎖する。つまり、扉部材２０がカウンター１の前端面に沿ってカウンター１の下方に垂下した状態になる（図４（Ａ)、図５（Ａ）参照）。
【００３１】
このように構成されたキャビネット１０は、図４及び図５に示すように、扉部材２０が収納空間を閉鎖した状態において、扉部材２０の上部を奥側に押し込むと、プッシュ式マグネットキャッチ６０の軸部６２がスプリングの弾性力によって前方へ突出し、その勢いによって軸部６２の先端面６２Ａから扉部材２０の受板２１が離れて扉部材２０が収納空間を開放する方向に回動する。すると、収納容器３０の後側板部３２の後方に突出する第１凸部３２Ａが支持部材４０の後支持部４２に設けたダンパー５０のピストン部５２の先端に下方から当接する。つまり、緩衝部材であるダンパー５０が収納容器３０（後側板部３２）と支持部材４０（後支持部４２）との間に挟まれる（図４（Ｂ）参照）。このため、扉部材２０及び収納容器３０の回動速度がスムーズに減速する。よって、このキャビネット１０は、扉部材２０が収納空間を開放する際に扉部材２０等の回動が急激に停止することがないため、扉部材２０が収納空間を開放して停止する際に振動や騒音の発生を抑制することができる。
【００３２】
また、扉部材２０が収納空間を開放する方向に回動すると、第２凸部３２Ｂが後支持部４２の下端面に下方から当接する。これによって、扉部材２０及び収納容器３０は回動を停止し、それ以上に回動することが規制される（図４（Ｂ)、図５（Ｂ）参照）。このため、このキャビネット１０は、収納容器３０に収納物を出し入れし易い角度に扉部材２０を回動した状態で、収納空間を開放することができる。
【００３３】
また、扉部材２０及び収納容器３０の回動軸が、収納容器３０の左右側板部３１の後端部、かつ支持部材４０の左右支持部４１の中央下部に設けられている。このため、扉部材２０が収納空間を開放する方向に回動する際に扉部材２０がカウンター１の前端面から外側にはみ出る寸法を小さくすることができる。よって、このキャビネット１０はトイレルーム内の狭い空間内でも扉部材の開閉を良好に行うことができる。
【００３４】
また、第２凸部３２Ｂが第１凸部３２Ａよりも上側に設けられているため、第２凸部３２Ｂが後支持部４２の下端面に当接した状態で、第１凸部３２Ａと後支持部４２の下端面との間に隙間Ｓを形成することができる（図４（Ｂ）参照）。この隙間Ｓを設けることによって、第１凸部３２Ａがダンパー５０に過剰な力を加えることを防止することができる。このため、ダンパー５０の劣化を抑制することができ、キャビネット１０を長い間、良好に使用することができる。
【００３５】
また、このキャビネット１０は、第１凸部３２Ａ及び第２凸部３２Ｂが後側板部３２の後方に突出して形成されており、ダンパー５０が後支持部４２の下端部に設けられているため、扉部材２０が収納空間を開放した際にも第１凸部３２Ａ、第２凸部３２Ｂ及びダンパー５０は露出せずに使用者に目視され難い。このため、キャビネット１０の使用時の外見を良好に保つことができる。
【００３６】
したがって、実施例のキャビネット１０は良好に使用することができる。
【００３７】
本発明は上記記述及び図面によって説明した実施例に限定されるものではなく、例えば次のような実施例も本発明の技術的範囲に含まれる。
（１）実施例では、第１凸部及び第２凸部を後側板部の一部を折り曲げて形成したが、第１凸部及び第２凸部を別体に形成して後側板部の後面の取り付けてもよい。
（２）実施例では、ダンパーを緩衝部材として利用したが、スポンジ等の弾性部材であってもよい。
（３）実施例では、緩衝部材としてのダンパーを支持部材の後支持部に設けたが、緩衝部材は第１凸部等の収納容器側に設けてもよい。
（４）実施例では、第２凸部を設けたが、第２凸部を設けなくてもよい。この場合、扉部材が設定角度に回動して収納空間を開放するための機構を別途設けてもよい。
（５）実施例では、第１凸部を設けたが、第１凸部を設けなくてもよい。この場合、緩衝部材を挟む他の形態を収納容器に設けてもよい。
【符号の説明】
【００３８】
１０…キャビネット
２０…扉部材
３０…収納容器
３１…左右側板部
３２…後側板部
３２Ａ…第１凸部
３２Ｂ…第２凸部
３３…底板部
４０…支持部材
４１…左右支持部
４２…後支持部
５０…ダンパー（緩衝部材）
【図１】
0005912629.tif 000002
【図２】
0005912629.tif 000003
【図３】
0005912629.tif 000004
【図４】
0005912629.tif 000005
【図５】
0005912629.tif 000006